(57)【要約】【課題】従来品は、背中部の空間に腿掛けベルトが絡みつき、元にもどすのが面倒であり、装着に時間が掛かっていた。また、ベスト，袖付き上着，上下つなぎ作業服に支持部材を介して取付け、絡まない様にしたものがあるが、ベスト，袖付き上着，上下つなぎ作業服等の既製品を追加することは、購入者に経済的負担をかけるものであった。よって、取扱性を向上させて、安全性の高いハーネス型安全帯の普及を増進させるものである。【解決手段】ハーネス型安全帯の背中部の空間に背当てを設け、空間を閉鎖し、腿掛けベルトの絡みを防止すると共に、装着間違いを防止するため、左右の腿掛けベルトに挿通するベルト通しを異色にすると共に、その腿掛けベルトと正しく対応する肩掛けベルト側に同色のベルト通しを挿通したものである。【選択図】        図１
2005000282.tif 000002
【特許請求の範囲】
【請求項１】
背部において交差させ両肩に掛ける肩掛けベルト１と、一対の足を挿入する環状の腿掛けベルト２とを一体に形成したハーネス型安全帯３の、一対の腿掛けベルト２間を尻当てベルト４で橋絡し、前記肩掛けベルト１と、腿掛けベルト２と、尻当てベルト４で囲む空間に背当て５を設けたことを特徴とするハーネス型安全帯。
【請求項２】
前記ハーネス型安全帯３の背当て５は、肩掛けベルト１、腿掛けベルト２、尻当てベルト４に縫合したことを特徴とする請求項１に記載のハーネス型安全帯。
【請求項３】
前記ハーネス型安全帯３の背当て５は、該背当て５周縁部に面ファスナー５２を設け、背当て５を接着する部分のベルト表面部に同じく対応する面ファスナー５３を設け、接着したことを特徴とする請求項１に記載のハーネス型安全帯。
【請求項４】
前記ハーネス型安全帯３を導電性繊維を織り込んだベルトで構成し、当該安全帯３の背当て５に導電繊維を織り込んだことを特徴とする請求項１、請求項２または請求項３に記載のハーネス型安全帯。
【請求項５】
前記ハーネス型安全帯３を導電性繊維を織り込んだベルトで構成し、当該安全帯３の背当て５部分に、導電繊維を織り込んだ細幅織りベルト５１を重合するように設けたことを特徴とする請求項１、請求項２、請求項３または請求項４に記載のハーネス型安全帯。
【請求項６】
前記ハーネス型安全帯３の左右の腿掛けベルト２側に設けたベルト通し２１を異色とし、該腿掛けベルト２に対応する肩掛けベルト１端部には同色のベルト通し１１を設けたことを特徴とする請求項１、請求項２、請求項３、請求項４または請求項５に記載のハーネス型安全帯。
【発明の詳細な説明】
【０００１】
【発明の属する技術分野】
本願は、高所作業者が墜落防止のために身体に装着するフルハーネス型安全帯に関するものである。
【０００２】
【従来の技術】
従来のハーネス型安全帯は、特願２００２−２６４５９８、特許第２９４９１０１号に開示したものがある。
前者は、爆発の危険性があるガソリン給油所等で、作業者の墜落，転落を防止するために設けられた安全装置の一部として、導電繊維を織込んだベルトを用いて製作したハーネス型安全帯があり、作業者に帯電する静電気のスパークによって起る、爆発事故を防止すると共に、作業者の高所からの墜転落事故を防止する目的で使用されるものである。
なお、このハーネス型安全帯は、背部で交差させた肩掛けベルトと、腿掛けベルトと、尻当てベルトで囲む空間は開放状態であった。また、左右の腿掛けベルトに対応する肩掛けベルトを識別するものは何もなかった。
【０００３】
後者は、ハーネス型安全帯をベスト，袖付き上着，上下つなぎ作業服に設けた支持部材を介して取付けたもので、着用時に手足の挿通部を確認するのに手間取り、装着するのに時間がかかるという難点があったのを解決したものである。
しかしながら、これはベスト，袖付き上着，上下つなぎ作業服それぞれに支持部材を取付けておく必要があり、また、支持部材を取付けたベスト，袖付き上着，上下つなぎ作業服を購入しなければならず経済的負担が大きいものである。
【０００４】
【発明が解決しようとする課題】
ハーネス型安全帯はベルトが一体的に構成されており、保管時には丸めておくことが多いので、各ベルトが絡み合い易く、特に腿掛けベルトが背部空間に絡んだ状態となり、装着時はその絡みを解いて行わなければならず装着は容易でなかった。また、同仕様のベルトで製作したハーネス型安全帯のベルトは、同色なので、左右間違えて装着することもあり、装着に大変手間取っていた。
また、支持部材付きのベスト，袖付き上着，上下つなぎ作業服等の既製品にハーネスベルトを追加することなく、出来る限り購入者に経済的負担を負わせないこと、また容易に装着できる構造のハーネス型安全帯を提供することを、その課題とするものである。
【０００５】
【課題を解決するための手段】
よって、本願は、背部交差部下部の肩掛けベルトと、腿掛けベルトと、尻当てベルトで囲む空間を背当てにより閉鎖し、腿掛けベルトが尻当てベルト上部側に入り込まないようにし、絡まないようにしたものである。
また、装着間違いを防止するため、左右の腿掛けベルトに挿通するベルト通しを異色にすると共に、その腿掛けベルトと正しく対応する肩掛けベルト側に同色のベルト通しを挿通するものである。
【０００６】
【実施例】
本願の実施例を詳記すると、
背部において交差させ両肩に掛ける肩掛けベルト１と、一対の足を挿入する環状の腿掛けベルト２とを一体に形成したハーネス型安全帯３の、一対の腿掛けベルト２間を所定長の尻当てベルト４で橋絡し、前記肩掛けベルト１と、腿掛けベルト２と、尻当てベルト４で囲む空間に背当て５を設けた構造を有している。
背当て５は、周縁を各ベルトに縫合したものである。実施例では、メッシュ地を用いて蒸れ防止と、軽量化を可能にしている。
【０００７】
また、請求項３の様に、背当て５は、該背当て５周縁に面ファスナー（雄）５２を設けると共に、各ベルト面にも同じく面ファスナー（雌）５３を設けて、取外し自在とすることもできる。（図４）
【０００８】
また、請求項４の様に、背当て５部材に導電繊維を織込んだものを用いると共に、各ベルトも導電繊維を織込んだものを用いて製作し、可燃物積載車点検用墜落防止装置の一部として使用できる有効な安全帯である。
【０００９】
また、請求項５の様に、背当て５部材に導電繊維を織込んでいない部材の場合に、導電繊維を織り込んだ細幅織りベルト５１を重合するように設けて導電繊維を織り込んだ肩掛けベルト，腿掛けベルトを連結し、前記と同様に可燃物積載車点検用墜落防止装置の一部として使用できる有効な安全帯が得られる。（図５）
【００１０】
また、請求項６の様に、左右の腿掛けベルト２側に設けたベルト通し２１を異色とし、該腿掛けベルト２に対応する肩掛けベルト１端部には同色のベルト通し１１を設け、目視による装着間違いを防止し、容易に装着できるようにしたものである。
実施例では、右側のベルト通し２１の色を赤色とし、左側のベルト通し２１の色を黒色としたものである。
【００１１】
本願は以上のような簡単な構造なので、コスト的にもあまり高くならず提供でき、購入者に経済的負担を負わせることが少ないものである。
【００１２】
本願を装着するには、先ず、肩掛けベルト１を肩に掛ける。続いて、胸ベルト６の樹脂製バックルを嵌合し、肩より外れないようにする。そして腿掛けベルト２を股の間より前側に持ってくる。そして、先端に設けたパススルーバックルの雄金具２２をベルト通し２１の色と同色のベルト通し２１を挿通した肩掛けベルト１のパススルーバックルの雌金具１２へ挿通嵌合し、ベルト端部を引き身体に合った長さに張設する。
以上で装着完了である。
外す時は、パススルーバックルの雄金具を持って引き上げることによってベルトにゆとりができ容易に外すことができる。
【００１３】
パススルーバックルは、以前より構造が簡単で強度も十分に備え、嵌合が容易なバックルで、ハーネス型安全帯等に使用されていたのであるが、そのパススルーバックルに、本出願人が実用新案登録第３０５０６２３号で開示した誤挿入防止構造を付加したものである。
【００１４】
以上の、ハーネス型安全帯の背部交差部に、リング７を挿通し、該リング７にベルトおよびショックアブソーバーより成る連結ベルト８の一端を取付け、他端に副リング８１を設け、該副リング８１を、左右の肩掛けベルト１に設けた面ファスナーのどちらか作業性の良い方を選択仮止めし、該副リング８１に連結ロープのフックを掛止して（図示せず）使用するものである。
【００１５】
【発明の効果】
以上記したように、本願のハーネス型安全帯は、背当てを設けたことにより、腿掛けベルトが絡まず、ベルトのどの部位が装着者の身体のどの部位に対応しているかが判別でき、容易に装着することができる。
また、左右の腿掛けベルトのベルト通しの色を異色とし、対応する腿掛けベルト側と、肩掛けベルト側に同色のベルト通しを挿通することにより、さらに、装着間違いなく容易に装着可能である。
また、ハーネス型安全帯をベスト，袖付き上着，上下つなぎ作業服に取付けたものもあるが、たとえベストでも夏場においては暑く窮屈で、コストも高いものであるが、本願は、背当てのみなので、低コストで製作できると共に、装着時の蒸れ、窮屈感もなく良好である。
よって、落下衝撃荷重を体全体で受止める安全なハーネス型安全帯の普及を増進させる効果が期待される。
【図面の簡単な説明】
【図１】本願ハーネス型安全帯の正面図。
【図２】本願ハーネス型安全帯の取付状態背面図。
【図３】本願ハーネス型安全帯の取付状態右側面図。
【図４】本願背当てに面ファスナーを設けて取外したところの正面図。
【図５】本願背当てに細幅織りベルトを取付けたところの取付状態背面図。
【図６】従来品の取付状態正面図。
【図７】従来品の取付状態背面図。
【符号の説明】
１    肩掛けベルト
２    腿掛けベルト
３    ハーネス型安全帯
４    尻当てベルト
５    背当て
６    胸ベルト
７    リング
８    連結ベルト
１１    ベルト通し
１２    雌金具
２１    ベルト通し
２２    雄金具
５１    細幅織りベルト
５２    面ファスナー
５３    面ファスナー
８１    副リング
【図１】
2005000282.tif 000003
【図２】
2005000282.tif 000004
【図３】
2005000282.tif 000005
【図４】
2005000282.tif 000006
【図５】
2005000282.tif 000007
【図６】
2005000282.tif 000008
【図７】
2005000282.tif 000009